(57)【要約】【課題】  鍵として機能する携帯端末のＩＣカード部に障害が生じた場合であっても、迅速かつ安全に施錠開錠を行うことが可能な鍵情報管理システムを提供する。【解決手段】  携帯端末１０を錠ユニット２０の読み取り部に近づけると、携帯端末１０は、内蔵するＩＣカード部に障害が生じていないかどうかの判断を行い、障害を検知すると、その旨を鍵管理サーバ３０に送信する。鍵管理サーバ３０は、障害通知を受信すると、鍵情報記憶部３１から端末ＩＤに対応する錠ＩＤおよび代替鍵ＩＤを抽出し、抽出した錠ＩＤで特定される錠ユニット２０に、代替鍵ＩＤを送信する。錠ユニット２０は、代替鍵ＩＤを受信すると、自身が管理している鍵ＩＤに代えて、受信した代替鍵ＩＤを新たな鍵ＩＤとして設定する。これによりカード型鍵４０が代替鍵として利用可能となる。【選択図】  図１
2008196258.tif 000002
【特許請求の範囲】
【請求項１】
内蔵するＩＣカード部を利用して施錠開錠を行う携帯端末において、当該ＩＣカード部に障害が生じた場合に、他の媒体を鍵として機能させるシステムであって、
前記ＩＣカード部と無線通信を行い、鍵ＩＤを受信した場合に、自身が管理する鍵ＩＤとの照合を行い、受信した鍵ＩＤが正当なものである場合に、開錠または施錠を実行する錠ユニットと、
ＩＣカード部の障害を検知する障害検知部と、障害を検知した場合に、前記鍵管理サーバに通知を行う障害通知部を有する携帯端末と、
錠ＩＤ、鍵ＩＤ、代替鍵ＩＤを対応付けて登録するとともに、前記携帯端末から通知を受けた場合に前記錠ユニットに代替鍵ＩＤを送信する鍵管理サーバを有し、
前記錠ユニットは、受信した代替鍵ＩＤを鍵ＩＤとして登録するものであることを特徴とする鍵情報管理システム。
【請求項２】
内蔵するＩＣカード部を利用して施錠開錠を行う携帯端末において、当該ＩＣカード部に障害が生じた場合に、他の媒体を鍵として機能させるシステムであって、
前記他の媒体と無線通信を行い、代替鍵ＩＤを受信した場合に、自身が管理する代替鍵ＩＤとの照合を行い、受信した代替鍵ＩＤが正当なものであり、かつ、代替鍵の使用許可を受信した場合に、開錠または施錠を実行する錠ユニットと、
ＩＣカード部の障害を検知する障害検知部と、障害を検知した場合に、前記鍵管理サーバに通知を行う障害通知部を有する携帯端末と、
錠ＩＤ、鍵ＩＤ、代替鍵ＩＤ、許可者ＩＤを対応付けて登録するとともに、前記携帯端末から通知を受けた場合に、前記許可者端末への代替鍵の使用許可依頼の送信と前記錠ユニットへの代替鍵ＩＤの送信を実行し、当該許可者端末から使用許可を受信した場合に、当該使用許可を前記錠ユニットに送信する鍵管理サーバを有し、
前記錠ユニットは、受信した鍵管理サーバから受信した代替鍵ＩＤを登録するものであることを特徴とする鍵情報管理システム。
【発明の詳細な説明】
【技術分野】
【０００１】
本発明は、ＩＣカード技術を利用して鍵を開錠する技術に関する。
【背景技術】
【０００２】
近年、ＩＣカード技術の発展により、ＩＣカードを利用した様々なサービスが行われるようになってきている。特に、最近では、ＩＣカードを利用して入退室の管理を行うことも可能になってきている（特許文献１参照）。また、最近では、携帯電話機にＩＣを内蔵し、ＩＣカード技術を利用して鍵の施錠開錠を行うことも行われるようになってきている。
【特許文献１】特開２００６−１５２５８４号公報
【発明の開示】
【発明が解決しようとする課題】
【０００３】
ＩＣを内蔵した携帯電話機等の携帯端末を鍵として利用する場合、携帯端末が故障した場合には、施錠開錠を行うことができなくなる。また、携帯端末の基本機能が故障していなくても、ＩＣに関する部分が故障している場合には、やはり施錠開錠を行うことができなくなる。携帯端末内の何らかの障害により施錠開錠を行うことができなくなった場合には、スペアキーを用意しなければならないが、それには時間がかかるという問題がある。また、スペアキーが事前に用意されている場合であっても、それを安易に利用されたくないという事情も存在する。
【０００４】
そこで、本発明は、鍵として機能する携帯端末のＩＣカード部に障害が生じた場合であっても、迅速かつ安全に施錠開錠を行うことが可能な鍵情報管理システムを提供することを課題とする。
【課題を解決するための手段】
【０００５】
上記課題を解決するため、本発明では、内蔵するＩＣカード部を利用して施錠開錠を行う携帯端末において、当該ＩＣカード部に障害が生じた場合に、他の媒体を鍵として機能させるシステムであって、ＩＣカードと無線通信を行い、鍵ＩＤを受信した場合に、自身が管理する鍵ＩＤとの照合を行い、受信した鍵ＩＤが正当なものである場合に、開錠または施錠を実行する鍵ユニットと、錠ＩＤ、鍵ＩＤ、代替鍵ＩＤを対応付けて登録した鍵管理サーバと、ＩＣカード部の障害を検知する障害検知部と、障害を検知した場合に、前記鍵管理サーバに通知を行う障害通知部を有する携帯端末を有し、前記鍵管理サーバは、前記携帯端末から通知を受けた場合に前記鍵ユニットに代替鍵ＩＤを送信し、当該鍵ユニットは、受信した代替鍵ＩＤを鍵ＩＤとして登録するものである鍵情報管理システムを提供する。
【０００６】
また、本発明では、内蔵するＩＣカード部を利用して施錠開錠を行う携帯端末において、当該ＩＣカード部に障害が生じた場合に、他の媒体を鍵として機能させるシステムであって、前記他の媒体と無線通信を行い、代替鍵ＩＤを受信した場合に、自身が管理する代替鍵ＩＤとの照合を行い、受信した代替鍵ＩＤが正当なものであり、かつ、代替鍵の使用許可を受信した場合に、開錠または施錠を実行する錠ユニットと、ＩＣカード部の障害を検知する障害検知部と、障害を検知した場合に、前記鍵管理サーバに通知を行う障害通知部を有する携帯端末と、錠ＩＤ、鍵ＩＤ、代替鍵ＩＤ、許可者ＩＤを対応付けて登録するとともに、前記携帯端末から通知を受けた場合に、前記許可者端末への代替鍵の使用許可依頼の送信と前記錠ユニットへの代替鍵ＩＤの送信を実行し、当該許可者端末から使用許可を受信した場合に、当該使用許可を前記錠ユニットに送信する鍵管理サーバを有し、前記錠ユニットは、受信した鍵管理サーバから受信した代替鍵ＩＤを登録するものであることを特徴とする鍵情報管理システムを提供する。
【発明の効果】
【０００７】
本発明に係る鍵情報管理システムによれば、錠ごとに事前に代替鍵を登録しておき、携帯端末のＩＣカード部に障害が生じた場合に、代替鍵が鍵として機能するように設定するので、携帯電話機のＩＣカード部に障害が生じた場合であっても、迅速かつ安全に施錠開錠を行うことが可能となるという効果を奏する。
【０００８】
また、本発明に係る鍵情報管理システムによれば、さらに錠ごとに事前に許可者を登録しておき、携帯端末のＩＣカード部に障害が生じた場合に、許可者から許可を得ることを条件として代替鍵が鍵として機能するように設定するので、携帯電話機のＩＣカード部に障害が生じた場合であっても、代替鍵の不正使用を防ぎつつ、迅速かつ安全に施錠開錠を行うことが可能となるという効果を奏する。
【発明を実施するための最良の形態】
【０００９】
以下、本発明の好適な実施形態について、図面を参照して詳細に説明する。
（第１の実施形態）
図１は、本発明第１の実施形態に係る鍵情報管理システムの構成を示す図である。図１において、１０は携帯端末、２０は錠ユニット、３０は鍵管理サーバ、３１は鍵情報記憶部、４０はカード型鍵である。
【００１０】
携帯端末１０は、ＩＣカードを内蔵し、ＩＣカードに記録された鍵データを用いて、錠ユニットと非接触通信を行う機能を有するとともに、コンピュータネットワーク接続機能を有しており、市販の携帯電話機に専用のプログラムを搭載することにより実現される。ここで、携帯端末１０の詳細を図２に示す。図２に示すように、携帯端末１０はＩＣカード部１１、障害検知部１２、障害通知部１３を有している。ＩＣカード部１１は、ＩＣおよび無線通信用コイルを備え、錠ユニットと通信を行うものであり、最近の携帯電話機には標準で搭載されたものもある。障害検知部１２は、ＩＣカード部１１が正常に機能しているかどうかを判断し、その障害を検知する機能を有しており、現実には、携帯電話機のメモリに専用のプログラムを記憶させておき、このプログラムをＣＰＵが実行することにより実現される。障害通知部１３は、障害検知部１２がＩＣカード部１１の障害を検知した場合に、その旨を鍵管理サーバ３０に送信する機能を有しており、送信のための通信機能としては、携帯電話機のインターネット接続機能が用いられる。
【００１１】
錠ユニット２０は、ドアに取り付けられた錠および錠を駆動させるための電気的機構を備えるとともに、記憶部および演算処理部を備えたものであり、携帯端末１０と非接触通信を行い、自身に適合する鍵データを受信した場合に、錠の開錠施錠を実行する機能を有している。鍵管理サーバ３０は、鍵情報記憶部３１を有し、各錠についての鍵情報を管理するとともに、携帯端末１０、錠ユニット２０とコンピュータネットワークを介して通信する機能を有するサーバコンピュータであり、コンピュータに専用のプログラムを搭載することにより実現される。
【００１２】
ここで、鍵情報記憶部３１に記憶された鍵情報の一例を図２に示す。図２に示すように、鍵情報記憶部３１には、各錠を特定するＩＤである錠ＩＤに対応付けて、鍵ＩＤ、代替鍵ＩＤが記憶されている。鍵ＩＤは、錠ＩＤで特定される錠を駆動させるための正規の鍵を示すＩＤである。図２の例では、鍵ＩＤとして、携帯電話機の電話番号が登録されている。代替鍵ＩＤは、錠ＩＤで特定される錠の代替鍵を示すＩＤである。カード型鍵４０は、ＩＣカード部１１と同様の機能を有するカード内のＩＣに代替鍵ＩＤを記録したものであり、携帯端末１０内のＩＣカード部１１と同様、錠ユニット２０と無線通信を行う機能を有している。
【００１３】
次に、図１に示したシステムの処理動作について説明する。携帯電話機に全く障害がなく正常である場合、携帯電話機を錠ユニットの読み取り部に近付けると、読み取り部が携帯電話機のＩＣカード部と非接触通信を行う。この非接触通信により、読み取り部は携帯電話機から鍵ＩＤを受信し、この鍵ＩＤが自身が保有する鍵ＩＤと一致する場合には、錠ユニットが錠を駆動させ、開錠または施錠を行う。受信した鍵ＩＤが自身が保有する鍵ＩＤと一致しない場合、錠ユニットは錠を駆動させず、開錠も施錠も行わない。なお、このように、ＩＣカードを内蔵した携帯電話機を翳すことにより、施錠開錠を行う技術は公知のものである。
【００１４】
利用者が携帯端末１０を錠ユニット２０の読み取り部に近づけると、錠ユニット２０からの電波を受けて障害検知部１２が起動し、ＩＣカード部１１に障害が生じていないかどうかの判断を行う。具体的には、障害検知部１２が所定の信号をＩＣカード部１１に送信し、この信号に対する応答が所定時間内にない場合に、ＩＣカード部１１に障害が生じていると判断する。すなわち、これにより障害検知部１２はＩＣカード部１１の障害を検知することになる。障害検知部１２がＩＣカード部１１の障害を検知すると、障害通知部１３は、ＩＣカード部１１に障害が発生したことを示す信号を、自身の端末ＩＤとともに、コンピュータネットワークを介して鍵管理サーバ３０に送信する。
【００１５】
鍵管理サーバ３０は、携帯端末１０（障害通知部１３）から、ＩＣカード部１１に障害が発生したことを示す信号および端末ＩＤを受信すると、受信した端末ＩＤで鍵情報記憶部３１を検索し、対応する錠ＩＤおよび代替鍵ＩＤを抽出する。そして、鍵管理サーバ３０は、抽出した錠ＩＤで特定される錠ユニット２０に、鍵ＩＤを変更すべき命令を示す信号および代替鍵ＩＤをコンピュータネットワークを介して送信する。
【００１６】
錠ユニット２０は、鍵管理サーバ３０から、鍵ＩＤを変更すべき命令を示す信号および代替鍵ＩＤを受信すると、受信した命令に従って、自身が管理している鍵ＩＤに代えて、受信した代替鍵ＩＤを新たな鍵ＩＤとして設定する。
【００１７】
上記携帯端末１０の保有者には、代替鍵として機能するカード型鍵４０が事前に付与されている。携帯端末１０が正常な状態では、錠ユニット２０は、鍵ＩＤとして、携帯端末の端末ＩＤを設定している。このため、カード型鍵４０を錠ユニット２０の読み取り部に近づけた場合、錠ユニット２０は、カード型鍵４０から代替鍵ＩＤを受信するが、この代替鍵ＩＤが設定されている鍵ＩＤと異なるため、錠の施錠開錠は行われない。ところが、携帯端末１０のＩＣカード部１１に障害が生じた場合には、上述のような処理により、錠ユニット２０は、鍵ＩＤとして、代替鍵ＩＤを設定する。この場合、カード型鍵４０を錠ユニット２０の読み取り部に近づけると、錠ユニット２０は、カード型鍵４０から代替鍵ＩＤを受信するが、この代替鍵ＩＤが設定されている鍵ＩＤと一致するため、錠の施錠開錠が行われる。すなわち、携帯端末１０のＩＣカード部１１に障害が生じた場合にのみ、カード型鍵４０が鍵として利用できることになる。このため、携帯端末１０のＩＣカード部１１が正常な状態であり、携帯端末１０を鍵として利用できる場合に、代替鍵であるカード型鍵４０の乱用を防ぐことができる。特に、賃貸住宅では、貸主は代替鍵が安易に利用され、借主以外のものに利用されるのを好まないが、これにより、代替鍵であるカード型鍵４０は、正規の鍵である携帯端末１０に障害が生じた緊急の場合にのみ利用できることとなり、貸主にとって好ましいものとなる。
【００１８】
（第２の実施形態）
次に、第２の実施形態について説明する。第１の実施形態では、携帯端末１０のＩＣカード部１１に障害が生じた場合に、無条件にカード型鍵４０が鍵として利用できるようにしたが、第２の実施形態では、携帯端末１０のＩＣカード部１１に障害が生じた場合であっても、さらに他の権限を有する者の許可があった場合にのみカード型鍵が鍵として利用できるようにすることを特徴とする。
【００１９】
図４は、本発明第２の実施形態に係る鍵情報管理システムの構成を示す図である。図４において、１０ａは携帯端末、２０ａは錠ユニット、３０ａは鍵管理サーバ、３１ａは鍵情報記憶部、４０ａはカード型鍵、５０は許可者端末である。図４に示す第２の実施形態においては、許可者端末５０を有する点が第１の実施形態とは大きく異なっている。
【００２０】
また、鍵情報記憶部３１ａに記憶された鍵情報も第１の実施形態とは若干異なっている。ここで、鍵情報記憶部３１ａに記憶された鍵情報の一例を図５に示す。図５に示すように、鍵情報記憶部３１ａには、各錠を特定するＩＤである錠ＩＤに対応付けて、鍵ＩＤ、代替鍵ＩＤが記憶されているだけでなく、許可者ＩＤも記憶されている。許可者ＩＤは、錠ＩＤで特定される錠の駆動を許可する権限を有する許可者の端末を示すＩＤである。図５の例では、許可者ＩＤとして、許可者の携帯電話機の電話番号が登録されている。
【００２１】
第１の実施形態と同様、利用者が携帯端末１０ａを錠ユニット２０ａの読み取り部に近づけると、錠ユニット２０ａからの電波を受けて障害検知部１２が起動し、ＩＣカード部１１に障害が生じていないかどうかの判断を行う。障害検知部１２がＩＣカード部１１の障害を検知すると、障害通知部１３は、ＩＣカード部１１に障害が発生したことを示す信号を、自身の端末ＩＤとともに、コンピュータネットワークを介して鍵管理サーバ３０ａに送信する。
【００２２】
鍵管理サーバ３０ａは、携帯端末１０ａ（障害通知部１３）から、ＩＣカード部１１に障害が発生したことを示す信号および端末ＩＤを受信すると、受信した端末ＩＤで鍵情報記憶部３１ａを検索し、対応する錠ＩＤおよび代替鍵ＩＤを抽出する。そして、鍵管理サーバ３０ａは、抽出した錠ＩＤで特定される錠ユニット２０ａに、代替鍵ＩＤをコンピュータネットワークを介して送信する。錠ユニット２０ａは、鍵管理サーバ３０ａから代替鍵ＩＤを受信すると、この代替鍵ＩＤを所定の記憶領域に登録する。
【００２３】
携帯端末１０ａのＩＣカード部１１に障害が生じ、上述のような処理により、錠ユニット２０ａが、鍵ＩＤとして代替鍵ＩＤを設定した場合、カード型鍵４０ａを錠ユニット２０ａの読み取り部に近づけると、錠ユニット２０ａは、カード型鍵４０ａから代替鍵ＩＤを受信する。錠ユニット２０ａは、代替鍵ＩＤを受信すると、受信した代替鍵ＩＤと自身に登録されている代替鍵ＩＤとの照合を行う。両者が一致した場合は、その代替鍵ＩＤの使用の可否を鍵管理サーバ３０ａに問い合わせる。具体的には、錠ユニット２０ａは、一致した代替鍵ＩＤを鍵管理サーバ３０ａに送信する。鍵管理サーバ３０ａでは、錠ユニット２０ａから代替鍵ＩＤを受信すると、その代替鍵ＩＤで鍵情報記憶部３１ａを検索し、対応する許可者ＩＤを抽出する。そして、鍵管理サーバ３０ａは、抽出した許可者ＩＤで特定される許可者端末５０に、代替鍵の使用許可を求める旨をコンピュータネットワークを介して送信する。
【００２４】
許可者端末５０は、鍵管理サーバ３０ａから代替鍵使用の許可依頼を受信すると、画面にその旨を表示させる。許可者が、許可する旨を指示すると、許可者端末５０は、許可する旨の情報を鍵管理サーバ３０ａに送信する。鍵管理サーバ３０ａでは、許可者端末５０から許可する旨の情報を受信すると、受信した許可者ＩＤで鍵情報記憶部３１ａを検索し、対応する錠ＩＤおよび代替鍵ＩＤを抽出する。そして、鍵管理サーバ３０ａは、抽出した錠ＩＤで特定される錠ユニット２０ａに、代替鍵の使用許可を示す信号をコンピュータネットワークを介して送信する。
【００２５】
錠ユニット２０ａは、鍵管理サーバ３０ａから、代替鍵の使用許可を示す信号を受信すると、自身が管理している代替鍵ＩＤを新たな鍵ＩＤとして設定する。この状態で、カード型鍵４０ａを錠ユニット２０ａの読み取り部に近づけると、錠ユニット２０ａは、カード型鍵４０ａから代替鍵ＩＤを受信し、この代替鍵ＩＤが設定されている鍵ＩＤと一致するため、錠の施錠開錠を行う。すなわち、携帯端末１０ａのＩＣカード部１１に障害が生じ、かつ許可者から許可があった場合にのみ、カード型鍵４０ａが鍵として利用できることになる。このため、携帯端末１０ａのＩＣカード部１１に障害が生じた場合であっても、さらに厳重なチェックを行うことにより、代替鍵であるカード型鍵４０ａの不正使用を防ぐことができる。
【００２６】
（変形例）
さらに、第２の実施形態においては、カード型鍵４０ａの使用者を確認するため、使用者の画像を許可者が確認するようにすることも可能である。具体的には、錠ユニット２０ａが設置されたドア付近にカメラを設置するとともに、このカメラを錠ユニット２０ａおよび許可者端末５０と通信可能に接続しておく。そして、携帯端末１０ａのＩＣカード部１１に障害が生じ、錠ユニット２０ａが、鍵ＩＤとして代替鍵ＩＤを設定した後、カード型鍵４０ａを錠ユニット２０ａの読み取り部に近づけると、錠ユニット２０ａは、カード型鍵４０ａから代替鍵ＩＤを受信する。
【００２７】
錠ユニット２０ａは、代替鍵ＩＤを受信すると、受信した代替鍵ＩＤと自身に登録されている代替鍵ＩＤとの照合を行う。両者が一致した場合は、錠ユニット２０ａはカメラから画像を取得し、この画像を、代替鍵ＩＤとともに鍵管理サーバ３０ａに送信する。鍵管理サーバ３０ａでは、錠ユニット２０ａから画像と代替鍵ＩＤを受信すると、その代替鍵ＩＤで鍵情報記憶部３１ａを検索し、対応する許可者ＩＤを抽出する。そして、鍵管理サーバ３０ａは、抽出した許可者ＩＤで特定される許可者端末５０に、代替鍵の使用許可を求める旨および画像をコンピュータネットワークを介して送信する。
【００２８】
許可者端末５０は、鍵管理サーバ３０ａから代替鍵使用の許可依頼および画像を受信すると、画面にその旨および画像を表示させる。この画像を確認して、許可者が、許可する旨を指示すると、許可者端末５０は、許可する旨の情報を鍵管理サーバ３０ａに送信する。
【００２９】
第１の実施形態では、利用者の携帯端末１０のＩＣカード部を錠ユニット２０の読み取り部に近付けると、錠ユニット２０から電波を受けて障害検知部１２を起動させている。利用者が携帯端末１０のＩＣカード部を錠ユニット２０の読み取り部に近付けても錠ユニット２０が開錠しなければ、利用者が携帯端末１０のＩＣカード部に故障があると判断して、携帯端末１０の障害検知部１２を起動させて、ＩＣカード部に障害がないかチェックを行ってよい。障害検知の方法としては、上記と同様にＩＣカード部にテスト信号を送信してＩＣカード部から返信信号があるかないかで判定し、返信信号がない場合には、管理サーバ３０aに代替鍵を要求する。
【００３０】
第２の実施形態では、許可者端末５０が許可する旨の情報と許可者ＩＤを鍵管理サーバ３０aに送信して、鍵情報記録部３１ａを検索して対応する錠ＩＤおよび代替鍵ＩＤを抽出するようにしている。許可者端末５０が複数の錠ＩＤを管理している場合には、錠ユニット２０aに自身を特定する錠ＩＤを記憶しておき、鍵管理サーバ３０aは、許可端末５０に代替鍵の使用許可を求めるときに錠ユニット２０aから代替鍵の使用許可を求める旨の情報と錠IDを受信するようにしておく。鍵管理サーバ３０aは代替鍵の使用許可を求める情報と錠ＩＤを許可端末５０に送信し、許可者端末５０から許可する旨の情報と錠ＩＤを鍵管理サーバ３０aに返信するようにしてもよい。鍵管理サーバ３０aは許可者端末５０から受信した錠ＩＤをもとに、一意に錠ユニット２０を特定し、許可する旨の情報を錠ユニット２０に送信することができる。
【図面の簡単な説明】
【００３１】
【図１】本発明第１の実施形態に係る鍵情報管理システムの構成を示す図である。
【図２】携帯端末１０の詳細を示す図である。
【図３】鍵情報記憶部３１に記憶された鍵情報の一例を示す図である。
【図４】本発明第２の実施形態に係る鍵情報管理システムの構成を示す図である。
【図５】鍵情報記憶部３１ａに記憶された鍵情報の一例を示す図である。
【符号の説明】
【００３２】
１０、１０ａ・・・携帯端末
１１・・・ＩＣカード部
１２・・・障害検知部
１３・・・障害通知部
２０、２０ａ・・・錠ユニット
３０、３０ａ・・・鍵管理サーバ
３１、３１ａ・・・鍵情報記憶部
４０、４０ａ・・・カード型鍵
５０・・・許可者端末
【図１】
2008196258.tif 000003
【図２】
2008196258.tif 000004
【図３】
2008196258.tif 000005
【図４】
2008196258.tif 000006
【図５】
2008196258.tif 000007